(57)【要約】【課題】ソケットをなくすことにより、部品点数を減らし、かつ、止水のためのシールも簡単に行える湯水混合栓の取付構造を提供する。【解決手段】給湯連結管１１及び給水管１２には、フランジ部１１ａ（１２ａ）を設けた接続端部を形成して、そのフランジ部１１ａ（１２ａ）を袋ナット１のフランジ挿嵌孔１ｂに遊嵌する一方、給湯管３１及び給水管３２には、ネジ部３１ａ（３２ａ）を設けた接続端部を形成して、そのネジ部３１ａ（３２ａ）を袋ナット１のネジ溝１ａに螺挿させた構造とし、袋ナット１のフランジ挿嵌孔１ｂは、フランジ部１１ａ（１２ａ）を設けた接続端部の外径よりも大きく、かつフランジ部１１ａ（１２ａ）の外径よりも小さい開口を有するとともに、ネジ溝１ａは、フランジ部１１ａ（１２ａ）よりも十分に大きい内口径を有した構造にしている。【選択図】図１
2006207165.tif 000002
【特許請求の範囲】
【請求項１】
湯水混合栓側に形成した給湯連結管、給水連結管を、ネジ溝とフランジ挿嵌孔とを有した袋ナットを用いて、給湯管、給水管に接続するようにした混合栓の取付構造であって、
上記湯水混合栓側の給湯連結管及び給水連結管には、フランジ部を設けた接続端部を形成して、そのフランジ部を上記袋ナットのフランジ挿嵌孔に遊嵌する一方、上記給湯管及び給水管には、ネジ部を設けた接続端部を形成して、そのネジ部を上記袋ナットのネジ溝に螺挿させる構造とし、
上記袋ナットのフランジ挿嵌孔は、上記フランジ部を設けた接続端部の外径よりも大きく、かつ上記フランジ部の外径よりも小さい開口を有するとともに、上記ネジ溝は、上記フランジ部よりも十分に大きい内口径を有した構造にしていることを特徴とする湯水混合栓の取付構造。
【請求項２】
湯水混合栓側に形成した給湯連結管、給水連結管を、ネジ溝とフランジ挿嵌孔とを有した袋ナットを用いて、給湯管、給水管に接続するようにした混合栓の取付構造であって、
上記給湯管及び給水管には、フランジ部を設けた接続端部を形成して、そのフランジ部を上記袋ナットのフランジ挿嵌孔に遊嵌する一方、上記給湯連結管及び給水連結管には、ネジ部を設けた接続端部を形成して、そのネジ部を上記袋ナットのネジ溝に螺挿させる構造とし、
上記袋ナットのフランジ挿嵌孔は、上記フランジ部を設けた接続端部の外径よりも大きく、かつ上記フランジ部の外径よりも小さい開口を有するとともに、上記ネジ溝は、上記フランジ部よりも十分に大きい内口径を有した構造にしていることを特徴とする湯水混合栓の取付構造。
【請求項３】
請求項１または２において、
上記袋ナットは、上記フランジ挿嵌孔に遊嵌された接続端部のフランジ部と、フランジ挿嵌孔の上記開口との隙間を塞ぐためのシール部材が介装されていることを特徴とする湯水混合栓の取付構造。
【請求項４】
請求項３において、
上記シール部材は、上記接続端部の上記フランジ部の外周縁に固着されていることを特徴とする湯水混合栓の取付構造。
【請求項５】
請求項３において、
上記シール部材は、上記フランジ挿嵌孔の内周縁に固着されていることを特徴とする湯水混合栓の取付構造。
【発明の詳細な説明】
【技術分野】
【０００１】
本発明は、湯水混合栓の取付構造の改良に関する。
【背景技術】
【０００２】
従来、浴室、台所等に設置される、湯と水を混合して適温の混合水を供給する湯水混合栓として、種々の形態のものが存在するが、壁面より突設された給湯管と給水管とを混合栓本体に接続し、混合栓本体内で湯と水とを混合して適当な温度にした後に吐水管より吐水する形態のものがよく使用されている。
【０００３】
図４は、従来の湯水混合栓の本体外観および概略取付構造の一例を示した模式図である。（ａ）は側面図、（ｂ）は正面図を示している。
この湯水混合栓は、壁Ｗより室内側に突設された給水管１１１、給湯管１１２を、混合栓本体１００の給水連結管１０１、給湯連結管１０２に接続し、混合栓本体１００の前面中央部からは吐水管１０３が突設されている。混合栓本体１００の左、右には、水量調節、温度調節などが可能な操作つまみ１０４、１０４が設けられている。
なお、１２１、１２２は、壁Ｗの貫通孔（不図示）に挿通させた給水管１１１、給湯管１１２を固定し、かつその貫通孔を塞ぐための固定金具であり、１０５は、給水連結管１０１、給湯連結管１０２と、給水管１０１、給湯管１０２とを接続するための袋ナットである。
【０００４】
給水管１１１、給湯管１１２は、図４（ｂ）に示されるように正面から見た場合には、混合栓本体１００に対して斜めに立ち上がっている、ソケットと呼ばれる連結管１１３、１１４によって、給水連結管１０１、給湯連結管１０２に接続される。
このソケット１１３、１１４は、ソケットの壁側の接続端に設けたネジ部（不図示）に止水用のシールテープを巻き付け、固定金具１２１、１２２にねじ込んで取り付けられる。そして、ソケット１１３、１１４の混合栓側の接続端に取り付けた袋ナット１０５、１０５と、湯水混合栓の給水連結管１０１、給湯連結管１０２とをネジ止着して混合栓本体１００を固定する。
【０００５】
このようなソケット１１３、１１４を混合栓本体１００までの配管として用いるのは、混合栓本体１００の水平調整を行うためである。すなわち、給水管１１１、給湯管１１２と混合栓本体１００との間にソケット１１３、１１４を介在させて、混合栓本体１００との接続角度を調整することにより、混合栓本体１００の水平調整を行っている。
水平調整は、ねじ込んだソケット１１３、１１４のいずれか、または両方を順、逆に回転させることによって行われる。
【０００６】
この種のソケットは湯水混合栓の接続配管として多く利用されており、たとえば次の特許文献には、ソケットを利用した湯水混合栓が記載されている。
【特許文献１】特開平６−２０１０６９号公報
【発明の開示】
【発明が解決しようとする課題】
【０００７】
このように、ソケットを利用すれば混合栓本体の水平調整は容易に行えるが、水平調整時にソケットの順、逆回転を何度も繰り返してしまうと、巻き付けたシールテープが損傷してしまい、止水が十分に効かなくなることがあり、その場合には、再度シールテープを巻き付けてやり直さなければならない。
また、図４（ａ）の側面図からもわかるように、このようなソケット１１３、１１４を介在させると、混合栓全体１００が前面に必要以上に突出してしまい、混合栓周辺空間が狭くなってしまう。さらに、混合栓とその取付構造が複雑であるため、美観も悪くなっている。
【０００８】
本発明は、このような問題を解決すべく提案されたもので、その目的は、ソケットをなくすことにより、混合栓とその取付構造を簡単にし、部品点数を減らし、かつ、止水のためのシールも簡単に行える湯水混合栓の取付構造を提供することにある。
【課題を解決するための手段】
【０００９】
本発明者は、上記目的を達成するために２つの発明を提案している。
【００１０】
第１、第２の本発明である請求項１、２に記載の湯水混合栓の取付構造は、湯水混合栓側に形成した給湯連結管、給水連結管を、ネジ溝とフランジ挿嵌孔とを有した袋ナットを用いて、給湯管、給水管に接続するようにした混合栓の取付構造であって、次の構造を有している。
【００１１】
すなわち、第１の本発明である請求項１では、湯水混合栓側の給湯連結管及び給水連結管には、フランジ部を設けた接続端部を形成して、そのフランジ部を袋ナットのフランジ挿嵌孔に遊嵌する一方、給湯管及び給水管には、ネジ部を設けた接続端部を形成して、そのネジ部を袋ナットのネジ溝に螺挿させる構造とし、袋ナットのフランジ挿嵌孔は、フランジ部を設けた接続端部の外径よりも大きく、かつフランジ部の外径よりも小さい開口を有するとともに、ネジ溝は、フランジ部よりも十分に大きい内口径を有した構造にしている。
【００１２】
また、第２の本発明である請求項２では、給湯管及び給水管には、フランジ部を設けた接続端部を形成して、そのフランジ部を袋ナットのフランジ挿嵌孔に遊嵌する一方、給湯連結管及び給水連結管には、ネジ部を設けた接続端部を形成して、そのネジ部を袋ナットのネジ溝に螺挿させる構造とし、袋ナットのフランジ挿嵌孔は、フランジ部を設けた接続端部の外径よりも大きく、かつフランジ部の外径よりも小さい開口を有するとともに、ネジ溝は、フランジ部よりも十分に大きい内口径を有した構造にしている。
【００１３】
請求項３では、袋ナットは、フランジ挿嵌孔に遊嵌された接続端部のフランジ部と、フランジ挿嵌孔の上記開口との間に、シール部材が介装されるようにしている。
【００１４】
請求項４では、シール部材は、接続端部のフランジ部の外周縁に固着されていることを特徴とする。
【００１５】
請求項５では、シール部材は、フランジ挿嵌孔の内周縁に固着されていることを特徴とする。
【発明の効果】
【００１６】
請求項１〜５の湯水混合栓の取付構造は、給湯連結管及び給水連結管と、給湯管及び給水管とのいずれか一方には、フランジ部を設けた接続端部を形成して、そのフランジ部を袋ナットのフランジ挿嵌孔に遊嵌する一方、他方には、ネジ部を設けた接続端部を形成して、そのネジ部を袋ナットのネジ溝に螺挿させた構造とし、特に、袋ナットのフランジ挿嵌孔は、フランジ部を設けた接続端部の外径よりも大きく、かつフランジ部の外径よりも小さい開口を有するとともに、ネジ溝は、フランジ部よりも十分に大きい内口径を有した構造にしているため、このような径差を利用した隙間の範囲で、袋ナットのフランジ挿嵌孔に遊嵌した管を任意の方向にずらしながら取付位置を調整することができる。
【００１７】
すなわち、請求項１の本発明では、従来のソケットを使用する必要はなく、給水連結管、給湯連結管のいずれかの、袋ナットに対する取付位置を、袋ナットの開口の中心より左右上下など任意の方向にずらすことによって、湯水混合栓の水平度の誤差調整を行うことができる。また請求項２では、給水管、給湯管のいずれかの取付位置を袋ナットの開口の中心より同様にずらすことによって、湯水混合栓の水平度の誤差調整を行うことができる。
また、ソケットを使用しないため、混合栓とその取付構造が簡単になり、周辺空間が広がり、かつ部品点数も減らすことができる。また、それらにともない美観もよくなる。
【００１８】
請求項３では、袋ナットは、フランジ挿嵌孔に遊嵌された接続端部のフランジ部と、フランジ挿嵌孔の開口との間にシール部材が介装されるようにしているので、止水も確実に行える。また、フランジ挿嵌孔にはネジ部が形成されていないため、遊嵌した管との間で接続位置の調整を繰り返し行ってもシール部材が磨耗したり、損傷させることもない。
【００１９】
請求項４では、シール部材が接続端部のフランジ部の外周縁に固着されているため、また、請求項５では、シール部材がフランジ挿嵌孔の内周縁に固着されているため、施工がきわめて簡単である。
【発明を実施するための最良の形態】
【００２０】
以下に、本発明の実施形態について、添付図面とともに説明する。
【実施例１】
【００２１】
図１は、第１の本発明の湯水混合栓取付構造の一例を示した説明図である。（ａ）は要部を断面とした取付時の側面図、（ｂ）は袋ナットの断面図である。なお、（ａ）は左側面を示しているため、給水管側のみを図示しており、図面、明細書においては、給湯管側をカッコ書きで示している。また、（ｂ）の左図は縦断面図、右図はＸ−Ｘ横断面である。
【００２２】
湯水混合栓１０は、図に見るように、給水管３１（給湯管３２）に対して、袋ナット１を介して取り付けられる。なお、給水管３１（給湯管３２）は、一対の固定金具３３によって壁Ｗの貫通孔Ｗｈに固定されて、室外から室内へと施設される。
【００２３】
給水管３１（給湯管３２）の接続端部には、ネジ部３１ａ（３２ａ）が形成されている一方、湯水混合栓１０の給水連結管１１（給湯連結管１２）の接続端部には、フランジ部１１ａ（１２ａ）が形成されている。また、袋ナット１は、給水管３１（給湯管３２）側にネジ溝１ａを形成し、給水連結管１１（給湯連結管１２）側にフランジ挿嵌孔１ｂを形成し、シール部材３を内装している（部分断面参照）。
【００２４】
このような構造によって、袋ナット１のフランジ挿嵌孔１ｂに給水連結管１１（給湯連結管１２）を遊嵌させた状態で、止水用にシールテープ（不図示）を巻き付けた給水管３１（給湯管３２）のネジ部３１ａ（３２ａ）を、袋ナット１のネジ溝１ａに螺挿させて、湯水混合栓１０を接続し取り付けることができる。
すなわち、給水管３１（給湯管３２）のネジ部３１ａ（３２ａ）を袋ナット１に螺挿することにより、給水連結管１１（給湯連結管１２）のフランジ部１１ａ（１２ａ）は、給水連結管１１（給湯連結管１２）の端部により押圧され、遊嵌状態のまま袋ナット１に固定され、湯水混合栓１０は壁Ｗ側に固定される。
【００２５】
なお、図１において、Ａは水栓固定ユニットであり、３１（３２）は、室外に施設された給水管（給湯管）（不図示）に連結される、ネジ部を設けた接続短管として示している。また、このユニットＡは、接続短管３１（３２）と、左右一対の固定金具３３とを備えている。この水栓固定ユニットＡを使用すれば、湯水混合栓１０の取付作業をより簡易に行うことができる。
【００２６】
次に、湯水混合栓１０の水平調整について説明する。
給水管３１と給湯管３２とは、床面に対して略平行に突設しているが、これに対して湯水混合栓１０は、適切な湯水混合を実施するため、完全に水平保持して設置しなければならない。
そのため本発明では、湯水混合栓１０の水平調整を、給水連結管１１、給湯連結管１２と、袋ナット１、１のフランジ挿嵌孔１ｂ、１ｂとの接続位置調整により行えるようにしている。
【００２７】
図１（ｂ）には、管の接続端部の接続位置調整が説明されている。なお、この図では、給水連結管１１を調整する場合を示している。
【００２８】
この図において、関連各部の径について着目すると、ｒ１はフランジ部１１ａを設けた給水連結管１１の接続端部の外径、ｒ２はフランジ挿嵌孔１ｂの口径、ｒ３はフランジ部１１ａの外径、ｒ４は袋ナット１の内口径（ネジ溝径）であり、これらの径は次の大小関係が成り立っている。
すなわち、袋ナット１のフランジ挿嵌孔１ｂの口径ｒ２は、フランジ部１１ａを設けた接続端部の外径ｒ１よりも大きく、かつフランジ部１１ａの外径ｒ３よりも小さく（ｒ１＜ｒ２＜ｒ３の関係）、さらに
袋ナット１の内口径ｒ４は、フランジ部１１ａの外径ｒ３よりも十分に大きい（ｒ３＜ｒ４）。
【００２９】
したがって、このような径の大小関係があれば、接続端部の外径ｒ１とフランジ挿嵌孔１ｂの口径ｒ２との差（ｒ２−ｒ１）と、フランジ部１１ａの外径ｒ３と袋ナットの内口径ｒ４との差（ｒ４−ｒ３）のいずれか小さい差分を限度として、管を上下、左右等にずらすことができる。
すなわち、フランジ挿嵌孔１ｂに遊嵌した管は、接続端部の外径ｒ１とフランジ挿嵌孔１ｂの開口部との間に形成される隙間と、フランジ部１１ａの外径ｒ３とネジ溝ｒ４の内径との間に形成される隙間とのうち、いずれか小さい方の隙間によって移動量は規制されるが、その規制された側の隙間の範囲では自由に移動することができる。
【００３０】
したがって、給水連結管１１、給湯連結管１２のいずれかの、袋ナット１、１に対する接続位置を開口１ｂの中心よりずらすことによって、湯水混合栓１の水平度の誤差調整を行うことができる。つまり、湯水混合栓１０を水平に保持した状態で、袋ナット１のネジ溝１ａに給水管３１及び給湯管３２のネジ部３１ａ、３２ａを螺挿すれば、湯水混合栓１は水平を保持した状態で壁Ｗに取付固着されるが、そのように水平に固着された結果、給水連結管１１、給湯連結管１２のいずれか、または両方は、フランジ挿嵌孔１ｂの中心からずれた位置で結合された状態となる。
【００３１】
また、フランジ部１１ａ（１２ａ）とフランジ挿嵌孔１ｂとの間にはゴムパッキン等のシール部材３が介装されており、これにより給水連結管１１（給湯連結管１２）側の止水を図っている。
【００３２】
このシール部材３は、調整を繰り返し行っても磨耗したり、損傷することはほとんどない。つまり、位置調整を行う給水連結管１１（給湯連結管１２）側はネジ着する構造ではないため、フランジ挿嵌孔１ｂに介装されたシール部材３は、給水連結管１１（給湯連結管１２）の接続位置調整を行っても傷つけられることはない。
【００３３】
なお図１（ｂ）では、給水連結管１１を上方にずらした場合を示しており、ｃ１は袋ナットの中心線、ｃ２は給水連結管１１の中心線を示している。
【００３４】
このような取付構造によれば、ソケットを使用することなく湯水混合栓１０の水平調整を容易に行うことができるとともに、ソケットを使用しないため、混合栓とその取付構造が簡単になり、かつ部品点数を減らすことができる。また、それらにともない外観もシンプルになり、美観もよくなる。
【００３５】
次に、袋ナットに使用されるシール部材について説明する。
図２は、シール部材の固着位置の他の態様を示した断面図である。（ａ）はリング状のシール部材３Ａがフランジ部１１ａの外周縁に嵌着されて固着されたもの、（ｂ）はリング状のシール部材３Ｂがフランジ挿嵌孔１ｂの内周縁に嵌着されて固着されたものを示している。
【００３６】
このような構成によれば、あらかじめシール部材３が管のフランジ部１１ａ（１２ａ）あるいは袋ナット１のいずれかに装着されているため、シール部材３を隙間に装着させる作業の必要もなく、フランジ部１１ａ（１２ａ）を図のように袋ナット１に遊嵌させるだけで、フランジ部２とフランジ挿嵌孔１ｂの開口との間にシール部材３を確実に介装させることができる。
【実施例２】
【００３７】
図３は、第２の本発明の湯水混合栓取付構造の他例を示した説明図であり、取付時の要部の断面を示した側面図である。
この態様では、湯水混合栓１０は、壁Ｗに固定金具３３によって取り付けた給水管３１（給湯管３２）に対して、袋ナット１を介して取り付けられる。実施例１と同様、給湯管側はカッコ書きで示している。
【００３８】
給水管３１（給湯管３２）の接続端部にはフランジ部３１ｂ（３２ｂ）が形成され、湯水混合栓１０の給水連結管１１（給湯連結管１２）の接続端部にはネジ部１１ｂ（１２ｂ）が形成されている。また、袋ナット１は、前述した第１の発明と同様に、一方にフランジ挿嵌孔１ｂを形成し、他方にはネジ溝１ａを形成している（部分断面参照）。
【００３９】
このような構造によって、袋ナット１のフランジ挿嵌孔１ｂに給水管３１（給湯管３２）を遊嵌させた状態で、止水用にシールテープ（不図示）を巻き付けた給水連結管１１（給湯連結管１）のネジ部１１ｂ（１２ｂ）を、袋ナット１のネジ溝１ａに螺挿させて、湯水混合栓１０を接続し取り付けることができる。
すなわち、ネジ部１１ｂ（１２ｂ）を袋ナット２に螺挿することにより、給水管３１（給湯管３２）のフランジ部３１ｂ（３２ｂ）はネジにより押圧され、湯水混合栓１０は壁Ｗ側に固着される。
【００４０】
なお、図３において、３１（３２）は、室外に施設された給水管（給湯管）（不図示）に連結される、室外側端にネジ部３１ｃ（３２ｃ）を設け室内側端にフランジ部３１ｂ（３２ｂ）を設けた接続短管として示している。また、この接続短管３１（３２）と、一対の固定金具３３とにより水栓固定ユニットＢを構成している。このような水栓固定ユニットＢを使用すれば、湯水混合栓１０の取付作業をより簡易に行うことができる。
【００４１】
本実施例は、実施例１とは逆に、連結管１１（１２）側にネジ部１１ａ（１２ｂ）を、給水管３１（給湯管３２）側にフランジ部３１ａ（３１ｂ）を設けたものであるが、フランジ挿嵌孔１ｂへの接続位置の調整は実施例１と同様であるため、その詳細内容については記述を省略する。
【図面の簡単な説明】
【００４２】
【図１】第１の本発明の湯水混合栓の取付構造を示す側面図であり、（ａ）は要部を断面とした混合水栓、給水管、給湯管を示した側面図、（ｂ）は袋ナットの内部構造を示す図である。
【図２】（ａ）（ｂ）は、シール部材を装着した袋ナットの他の態様を示した断面構造図である。
【図３】第２の本発明の湯水混合栓の取付構造を示す、要部を断面とした側面図である。
【図４】従来の湯水混合栓の取付構造を示す模式図であり、（ａ）は取付時の湯水混合栓の側面図、（ｂ）は正面図である。
【符号の説明】
【００４３】
１０      湯水混合栓
１１      給水連結管
１２      給湯連結管
１１ａ、１２ａ      フランジ部
１１ｂ、１２ｂ      ネジ部
１      袋ナット
１ａ      ネジ溝
１ｂ      フランジ挿嵌孔
３、３Ａ、３Ｂ      シール部材
３１      給水管
３２      給湯管
３３      固定金具
３１ａ、３２ａ      ネジ部
３１ｂ、３２ｂ      フランジ部
ｒ１      給水連結管の外径
ｒ２      袋ナットのフランジ挿嵌孔の口径
ｒ３      フランジ部の外径
ｒ４      袋ナット（ネジ溝）の内口径
【図１】
2006207165.tif 000003
【図２】
2006207165.tif 000004
【図３】
2006207165.tif 000005
【図４】
2006207165.tif 000006